(57)【要約】【課題】通風性と意匠性とを向上させた木製塀を提供する。【解決手段】木製塀１ａは、所定長さの複数の板材２２，２３が上下方向に所定間隔で並置された塀本体２と、前記塀本体２の上端部に設けられた、切り抜き装飾が施された木製の開口部材３ａとを有する。ここで前記開口部材３ａは、前記塀本体２の水平方向長さ全体に設けられているのが好ましい。【選択図】図１
0003233506.tif 000002
【実用新案登録請求の範囲】
【請求項１】
所定長さの複数の板材または竹材が上下方向または水平方向に所定間隔で並置された塀本体と、
前記塀本体の上端部、下端部、上下方向途中部の少なくとも１カ所に設けられた、切り抜き装飾が施された木製の開口部材と、
を有することを特徴とする木製塀。
【請求項２】
前記開口部材が前記塀本体の上端部に設けられている請求項１記載の木製塀。
【請求項３】
前記開口部材が、前記塀本体の水平方向長さ全体に設けられている請求項１又は２に記載の木製塀。
【請求項４】
前記開口部材に施された切り抜き装飾が、格子模様、幾何学模様、動物模様、植物模様、風景模様の少なくとも１つの模様である請求項１〜３のいずれかに記載の木製塀。
【考案の詳細な説明】
【技術分野】
【０００１】
本考案は木製塀に関するものである。
【背景技術】
【０００２】
これまで施工作業が簡単で施工費用も安いことから住宅などの塀としてブロック塀や鉄筋コンクリート組立塀（万年塀）が広く使用されてきた（例えば特許文献１）。ブロック塀や万年塀には、通常、通風性や意匠性については考慮されておらず閉塞感を与えることがある。また台風や地震などによって倒壊する虞があり、ブロック塀や万年塀が倒壊した場合には人身被害をもたらす可能性がある。そしてまたブロック塀や万年塀は重いので地盤の不同沈下によってクラックの発生や倒壊の危険性がある。
【０００３】
このため近年、古来より使用されてきた軽量で倒壊しにくい木製塀が見直されつつある。そして腐りやすく使用耐久性が低いという木製塀の欠点を解消するため種々の提案もなされている（例えば特許文献２）。
【先行技術文献】
【特許文献】
【０００４】
【特許文献１】特開２００１−２６２８７０号公報
【特許文献２】実用新案登録第３２２０８６７号公報
【考案の概要】
【考案が解決しようとする課題】
【０００５】
しかしながら、これまでの木製塀は通風性および意匠性の点において未だ十分ではなく、さらなる改善が望まれていた。
【０００６】
そこで本考案の目的は、通風性を向上させると同時に意匠性をも向上させた木製塀を提供することにある。
【課題を解決するための手段】
【０００７】
前記目的を達成する本考案は、所定長さの複数の板材または竹材が上下方向または水平方向に所定間隔で並置された塀本体と、前記塀本体の上端部、下端部、上下方向途中部の少なくとも１カ所に設けられた、切り抜き装飾が施された木製の開口部材とを有することを特徴とする。
【０００８】
前記構成の木製塀において、前記開口部材は前記塀本体の上端部に設けられていてもよい。
【０００９】
前記構成の木製塀において、前記開口部材は前記塀本体の水平方向長さ全体に設けられているのが好ましい。
【００１０】
また前記構成の木製塀において、前記開口部材に施された切り抜き装飾は、格子模様、幾何学模様、動物模様、植物模様、風景模様の少なくとも１つの模様であるのが好ましい。
【考案の効果】
【００１１】
本考案の木製塀によれば、通風性が向上すると同時に意匠性も向上する。
【図面の簡単な説明】
【００１２】
【図１】本考案に係る木製塀の一実施形態を示す正面図である。
【図２】開口部材の他の例を示す正面図である。
【図３】本考案に係る木製塀の他の実施形態を示す正面図である。
【考案を実施するための形態】
【００１３】
以下、本考案に係る木製塀（以下、単に「塀」と記すことがある。）に関して図に基づいてさらに説明するが、本考案はこれらの実施形態に何ら限定されるものではない。また、本明細書における「上下方向」および「左右方向」は図に示される「上下方向」および「左右方向」を意味するものとする。また本明細書における「左右方向」は「水平方向」と同義であるものとする。
【００１４】
（第１実施形態）
図１は、本考案に係る塀の一実施形態を示す正面図である。図１に示す塀１ａは、いわゆる大和塀からなる塀本体２と、塀本体２の上端に配置された開口部材３ａとを有する。
（塀本体）
塀本体２は、左右方向に所定間隔で地面に垂直に設置された柱材２１と、柱材２１に対して上下方向に所定間隔で取り付けられた板材２２，２３とを有する。板材２２，２３は、所定幅を有し左右方向に所定長さを有し、柱材２１に対して正面側と背面側とから、正面視において一部が上下方向に少し重なるように交互に取り付けられている。なお、図１では正面側から打ち付けられた板材２２と背面側から打ち付けられた板材２３と判別できるように、板材２３が板材２２よりも若干右方向にずらし表されている。
【００１５】
塀本体２に使用される柱材２１は角材や丸材など従来公知のものが使用でき、柱材２１の太さは塀１ａの高さや左右方向長さなどを考慮し適宜決定すればよい。柱材２１の上下方向長さは、地面に打ち込まれる長さと塀１ａの所望高さとから適宜決定すればよい。また必要により、地面に対する柱材２１の立設が安定保持されるように補助杭などをさらに設けても構わない。
【００１６】
塀本体２に使用される板材２２，２３は従来公知のものが使用でき、板材２２，２３の厚みや長さは塀１ａの設置場所の状況などを考慮し適宜決定すればよい。
【００１７】
塀本体２の左右方向の長さに限定はなく、所望の長さとなるように図１に示すものが左右方向に連続して設置される。また塀本体２の上下方向高さにも限定はなく所望の高さとなるよう板材２２，２３を上下方向に所定間隔で交互に取り付ければよい。
【００１８】
以上説明した大和塀からなる塀本体２は、板材２２，２３の長手方向が左右方向となるように板材２２，２３を設置していたが、板材２２，２３の長手方向が上下方向となるように板材２２，２３を設置してもよい。すなわち、左右方向に所定間隔で地面に垂直に設置された複数本の柱材２１の間に上下方向に所定間隔で水平に貫材が取り付けられ、この貫材の正面側と背面側とから左右方向に所定間隔で、正面視において一部が少し重なるように板材２２，２３が交互に打ち付けられたものであってもよい。
【００１９】
また塀本体２は、正面側または背面側の一方面側からのみ板材が取り付けられたものであっても勿論構わない。
【００２０】
（開口部材）
図１に示す開口部材３ａは、左右方向が塀本体２と同じ長さで、上下方向に所定の長さを有する正面視において左右方向に長い長方形状の平板からなり、縁取りを残してそれ以外の部分に山や松、城などの風景模様が透かし彫りで形成されている。つまり風景模様の背景部分が開口となっている。
【００２１】
このような透かし彫りが施された木製の開口部材３ａを塀１ａが有していることによって通風性が向上すると同時に意匠性も向上する。開口部材３ａの切り抜き部分が広くなるほど通風性は向上するが、意匠性が低下することもあり得る。
【００２２】
開口部材３ａに形成される切り抜き装飾は、風景模様の外、格子模様や幾何学模様、動物模様、植物模様などであってもよく、またこれらの組み合わせた模様であっても勿論構わない。切り抜き装飾は正面および背面の両面から意匠が認められることが望ましい。
【００２３】
図２に、開口部材の他の例を示す。図２（ａ）に示す開口部材３ｃは左右方向および上下方向に所定間隔で複数の桟が形成された格子模様の切り抜き装飾が施されたものである。図２（ｂ）に示す開口部材３ｄは、楕円や曲線が組み合わされた左右対称の幾何学模様の切り抜き装飾が施されたものである。なお、図２（ｂ）の装飾模様は木を単純化した植物模様と見ることもできる。
【００２４】
開口部材３ａの取り付け位置は、塀部材２の上端部、下端部、上下方向途中部のいずれであっても構わない。また、開口部材３ａはこれらの複数箇所に取り付けても構わない。そしてまた、開口部材３ａが左右方向に所定幅を有し上下方向に長い形状である場合には、塀部材２の上端から下端にわたって開口部材を設けてもよい。
【００２５】
開口部材３ａが塀部材２の上端部、下端部、上下方向途中部のいずれかに取り付けられる場合、開口部材３ａは塀本体２の水平方向長さの全体にわたって設けるのが意匠性および通風性の観点から好ましい。
【００２６】
（第２実施形態）
図３は、本考案に係る塀の第２実施形態を示す正面図である。図３に示す塀１ｂは、所定長さの竹材４３が左右方向に隙間無く並置された塀本体４と、塀本体４の上端に配置された開口部材３ｂとを有する。
【００２７】
（塀本体）
塀本体４は、左右方向に所定間隔で地面に垂直に設置された柱材４１と、柱材４１に対して上下方向に所定間隔で水平に取り付けられた３本の竹製の貫材４２ａ，４２ｂ，４２ｃ（これらを「貫材４２」と総称することがある。）と、これらの貫材４２に左右方向に隙間無く並んだ状態で取り付けられた複数の竹材４３とを有する。複数の竹材４３は、上端が貫材４２ａに、上下方向略中央部が貫材４２ｂに、下端が貫材４２ｃにそれぞれ紐などで貫材４２の背面側から取り付けられている。なお、柱材４１として竹製のものを用い、塀本体４の全体が竹材で構成されるようにしてもよい。
【００２８】
塀本体４に使用される竹材４３に特に限定は無い。柱材４１や貫材４２として竹を用いる場合は、柱材４１や貫材４２として用いる竹は、左右方向に並置する複数の竹材４３よりも太い竹を用いるのが、堅牢性や意匠性などの観点から望ましい。
【００２９】
竹材４３の上下方向長さに特に限定はなく使用環境に合わせて適宜決定すればよい。通常、竹材４３の上下方向長さは１．０ｍ〜２．０ｍの範囲である。
【００３０】
塀本体４の左右方向の長さに限定はなく、第１実施形態と同様に、所望の左右長さとなるように図３に示すものが左右方向に連続して設置される。
【００３１】
（開口部材）
図３に示す開口部材３ｂは、図１に示した開口部材３ａと基本構成は同じであり、左右方向が塀本体４と同じ長さで、上下方向に所定の長さを有する正面視において左右方向に長い長方形状の平板からなり、縁取りを残してそれ以外の部分に山や松、城などの風景模様が透かし彫りで形成されている。つまり風景模様の背景部分が開口となっている。
【００３２】
本実施形態においても、開口部材３ｂの取り付け位置は、塀部材４の上端部、下端部、上下方向途中部のいずれであっても構わない。また、開口部材３ｂはこれらの複数箇所に取り付けても構わない。そしてまた、開口部材３ｂが左右方向に所定幅を有し上下方向に長い形状である場合には、塀部材４の上端から下端にわたって、すなわち貫材４２ａと貫材４２ｃとの間に開口部材３ｂを取り付けてもよい。
【００３３】
また、第１実施例と同様に、開口部材３ｂが塀部材４の上端部、下端部、上下方向途中部に取り付けられる場合、開口部材３ｂは塀本体４の水平方向長さの全体にわたって設けるのが意匠性および通風性の観点から好ましい。
【００３４】
（その他）
本発明に係る塀は、開口部材や塀本体への雨水の浸入を抑制するなどために開口部材の上端部あるいは塀本体の上端部に笠木を有していてもよい。
【産業上の利用可能性】
【００３５】
本考案の木製塀は、高い通風性と意匠性とを有し有用である。
【符号の説明】
【００３６】
１ａ，１ｂ  塀
２  塀本体
２１  柱材
２２  板材
２３  板材
３ａ，３ｂ，３ｃ，３ｄ  開口部材
４  塀本体
４１  柱材
４２ａ，４２ｂ，４２ｃ  貫材
４３  竹材
【図１】
0003233506.tif 000003
【図２】
0003233506.tif 000004
【図３】
0003233506.tif 000005